(57)【要約】【課題】圧縮工具で圧縮作業をするときに、指が挟まれるのを抑制することができる圧縮工具カバーを提供すること。【解決手段】棒状の第１把持部としての工具本体２３と、棒状の第２把持部としてのハンドル２４と、ハンドル２４の一端を工具本体２３の一端に揺動可能に連結する連結部２５と、工具本体２３の一端に設けられ、ハンドル２４を揺動することにより圧縮対象物３を圧縮する圧縮部２６と、を有する圧縮工具２０を覆う圧縮工具カバー１０であって、工具本体２３における連結部２５の近傍に固定され、連結部２５の近傍の工具本体２３を覆う第１カバー部１１と、第１カバー部１１におけるハンドル２４の側の端縁部からハンドル２４側に向けて延び、連結部２５及び連結部２５の近傍のハンドル２４を覆う第２カバー部１２と、第２カバー部１２におけるハンドル２４の他端側に設けられた第１開口部１６と、を備える。【選択図】図５
2011036923.tif 000002
【特許請求の範囲】
【請求項１】
棒状の第１把持部と、棒状の第２把持部と、前記第２把持部の一端を前記第１把持部の一端に揺動可能に連結する連結部と、前記第１把持部の一端に設けられ、前記第２把持部を揺動することにより圧縮対象物を圧縮する圧縮部と、を有する圧縮工具を覆う圧縮工具カバーであって、
前記第１把持部における前記連結部の近傍に固定され、該連結部の近傍の該第１把持部を覆う第１カバー部と、
前記第１カバー部における前記第２把持部の側の端縁部から該第２把持部の側に向けて延び、前記連結部及び該連結部の近傍の該第２把持部を覆う第２カバー部と、
前記第２カバー部における前記第２把持部の他端側に設けられた第１開口部と、
を備えることを特徴とする圧縮工具カバー。
【請求項２】
前記第２カバー部は、前記第１把持部の長手方向と略平行な外縁部に、前記第１開口部と連通する第２開口部を有することを特徴とする請求項１に記載の圧縮工具カバー。
【請求項３】
前記第２把持部が前記第１把持部に近接したときに形成される前記圧縮工具の短手方向の幅と略等しい幅を有することを特徴とする請求項１又は２に記載の圧縮工具カバー。
【請求項４】
前記第１カバー部及び前記第２カバー部は、前記圧縮工具に対して着脱可能に構成されることを特徴とする請求項１から３のいずれか一つに記載の圧縮工具カバー。
【発明の詳細な説明】
【技術分野】
【０００１】
本発明は、圧縮工具に装着される圧縮工具カバーに関する。
【背景技術】
【０００２】
従来より、電柱上に配置された変圧器の低圧側から延びる電線を分岐する作業が行われる。具体的には、電線の分岐箇所にＣ型スリーブを配置し、Ｃ型スリーブの一端側に分岐電線を挿入する。そして、このＣ型スリーブを手動式の圧縮工具で圧縮して、分岐電線を電線に固定する。
【０００３】
この手動式の圧縮工具は、油が充填された工具本体と、この工具本体の一端に設けられた圧縮ヘッドと、工具本体に揺動自在に連結された棒状のハンドルと、を備える。工具本体内には、油タンクと、シリンダと、このシリンダ内に摺動可能に設けられたピストンと、を備える（例えば、特許文献１参照）。
そして、ハンドルを工具本体に対して揺動させ、接近及び離間の動作を繰り返すことにより、工具本体のシリンダ内に油が徐々に充填され、この油圧により、ピストンが圧縮ヘッドに向かって徐々に前進する。
【０００４】
このような圧縮工具は、重量が大きいものが多い（例えば、５ｋｇ）。このため、Ｃ型スリーブを圧縮工具で圧縮する作業は、二人の作業員によって次のように行われる。
一方の作業員は、圧縮工具を把持し、Ｃ型スリーブを圧縮工具の圧縮ヘッド内に位置させる。そして、他方の作業員は、圧縮工具のハンドル及び工具本体を把持し、ハンドルを工具本体に接近、離間する揺動動作を繰り返すことで、Ｃ型スリーブを圧縮する。
【先行技術文献】
【特許文献】
【０００５】
【特許文献１】特許第２８７７４３１号公報
【発明の概要】
【発明が解決しようとする課題】
【０００６】
しかしながら、圧縮ヘッドには、作業時に大きな応力が作用する。このため、一方の作業員は、Ｃ型スリーブが圧縮ヘッド内で位置ずれしないように、圧縮工具を把持する作業に集中している。そのため、この一方の作業員は、ハンドルと工具本体との連結部付近に、無意識に指をそえてしまう場合があり、指を挟まれる虞があった。
【０００７】
本発明は、圧縮工具で圧縮作業をするときに、指が挟まれるのを抑制することができる圧縮工具カバーを提供することを目的とする。
【課題を解決するための手段】
【０００８】
（１）  本発明は、棒状の第１把持部と、棒状の第２把持部と、前記第２把持部の一端を前記第１把持部の一端に揺動可能に連結する連結部と、前記第１把持部の一端に設けられ、前記第２把持部を揺動することにより圧縮対象物を圧縮する圧縮部と、を有する圧縮工具を覆う圧縮工具カバーであって、前記第１把持部における前記連結部の近傍に固定され、該連結部の近傍の該第１把持部を覆う第１カバー部と、前記第１カバー部における前記第２把持部の側の端縁部から該第２把持部の側に向けて延び、前記連結部及び該連結部の近傍の該第２把持部を覆う第２カバー部と、前記第２カバー部における前記第２把持部の他端側に設けられた第１開口部と、を備えることを特徴とする。
【０００９】
（２）  （１）に記載の発明においては、前記第２カバー部は、前記第１把持部の長手方向と略平行な外縁部に、前記第１開口部と連通する第２開口部を有することが好ましい。
【００１０】
（３）  （１）又は（２）に記載の発明においては、前記第２把持部が前記第１把持部に近接したときに形成される前記圧縮工具の短手方向の幅と略等しい幅を有することが好ましい。
【００１１】
（４）  （１）から（３）のいずれか一つに記載の発明においては、前記第１カバー部及び前記第２カバー部は、前記圧縮工具に対して着脱可能に構成されることが好ましい。
【発明の効果】
【００１２】
本発明によれば、圧縮工具で圧縮作業をするときに、指が挟まれるのを抑制することができる圧縮工具カバーを提供することができる。
【図面の簡単な説明】
【００１３】
【図１】本発明の実施形態の圧縮工具カバー１０が適用された圧縮工具２０の概略を示す正面図である。
【図２】本発明の実施形態の圧縮工具カバー１０が適用された圧縮工具２０を示す部分断面図である。
【図３】圧縮工具カバー１０を第１開口部１６側から視た斜視図である。
【図４】圧縮工具２０を工具箱３０に収納した状態を示す正面図である。
【図５】圧縮工具カバー１０の作用を説明するための正面図である。
【発明を実施するための形態】
【００１４】
以下に、本発明の実施形態を図面を参照しながら説明する。先ず、本発明の実施形態の圧縮工具カバー１０が適用される圧縮工具２０について図１及び図２を参照しながら説明する。
図１は、本発明の実施形態の圧縮工具カバー１０が適用された圧縮工具２０の概略を示す正面図である。図２は、本発明の実施形態の圧縮工具カバー１０が適用された圧縮工具２０を示す部分断面図であり、背面側の圧縮工具カバー１０を圧縮工具２０に装着した状態を示している。
【００１５】
図１に示すように、圧縮工具２０は、棒状の第１把持部としての工具本体２３と、棒状の第２把持部としてのハンドル２４と、連結部２５と、圧縮部２６と、を有する。
【００１６】
工具本体２３及びハンドル２４は、作業員が把持する部分である。
図２に示すように、工具本体２３は、タンク２３２と、シリンダ２３３と、導管２３５と、油圧ポンプ２３４と、を有する。
【００１７】
タンク２３２は、流体（油）を収容する。タンク２３２は、工具本体２３の一端側に設けられている。シリンダ２３３は、後述するピストン２６ｂを摺動可能に収容する。導管２３５は、タンク２３２とシリンダ２３３とを連通する。
【００１８】
油圧ポンプ２３４は、導管２３５の途中に設けられる。油圧ポンプ２３４は、ポンプシリンダ２３４ａと、このポンプシリンダ２３４ａの内部で摺動するポンプピストン２３４ｂと、このポンプピストン２３４ｂと一体に形成され、後述する連結部２５の近傍でハンドル２４に接続されたトップラッチ２３４ｃと、を有する。
ポンプピストン２３４ｂは、ハンドル２４の揺動によりポンプシリンダ２３４ａの内部で往復動し、流体（油）をタンク２３２からシリンダ２３３の内部に供給する。
【００１９】
ハンドル２４は、一端を連結部２５によって工具本体２３の一端に揺動可能に連結されている。ハンドル２４は、工具本体２３に対して揺動されることにより、油圧ポンプ２３４を作動させる。
【００２０】
連結部２５は、工具本体２３の一端に配置され、ハンドル２４の一端を工具本体２３の一端に揺動可能に連結する。
【００２１】
圧縮部２６は、工具本体２３の一端に設けられ、ハンドル２４を揺動することにより圧縮対象物としてのＣ型スリーブ３（図５参照）を圧縮する。圧縮部２６は、圧縮ヘッド２６ａと、ピストン２６ｂと、から構成されている。
圧縮ヘッド２６ａは、工具本体２３の一端側から略Ｃ字形状に延びている。ピストン２６ｂは、工具本体２３内に摺動可能に設けられている。このピストン２６ｂの先端面は、圧縮ヘッド２６ａの先端面に対向している。
【００２２】
このように圧縮工具２０は、ハンドル２４が工具本体２３に対して揺動され、工具本体２３の他端とハンドル２４の他端とが近接すると（図５（ｂ）参照）、油圧ポンプ２３４（図２参照）が作動するように構成されている。油圧ポンプ２３４が作動すると、油がタンク２３２からシリンダ２３３の内部に供給され、シリンダ２３３の内部において、ピストン２６ｂが圧縮ヘッド２６ａへ向けて移動する。これにより、Ｃ型スリーブ３（図５（ｂ）参照）は、圧縮ヘッド２６ａとピストン２６ｂとによって押圧され、圧縮される。
【００２３】
次に、本発明の実施形態の圧縮工具カバー１０について、図１から図４を参照しながら説明する。図３は、圧縮工具カバー１０を第１開口部１６側から視た斜視図である。図４は、圧縮工具２０を工具箱３０に収納した状態を示す正面図である。
【００２４】
図１から図３に示すように、圧縮工具カバー１０は、第１カバー部１１と、第２カバー部１２と、第２カバー部１２に設けられた第１開口部１６及び第２開口部１７と、ネジ部１８と、を備える。
【００２５】
圧縮工具カバー１０は、図３に示すように、圧縮工具２０の正面側（図３において左側）と背面側（図３において右側）に２分割可能に構成されている。つまり、圧縮工具カバー１０は、１対の、背面側の圧縮工具カバー部材１０Ａと、正面側の圧縮工具カバー部材１０Ｂと、から構成されている。
これら１対の圧縮工具カバー部材１０Ａ，１０Ｂは、ビス１８ａとナット１８ｂからなるネジ部１８（図３参照）によって接合することにより、圧縮工具２０に密着して装着される。
【００２６】
圧縮工具２０は、正面側と背面側とで略対称形状（軸対称形状）となっている。そのため、これら１対の圧縮工具カバー部材１０Ａ，１０Ｂは、略同一の形状を有するように、前記軸対称形状に構成されている。
したがって、以下の説明においては、１対の圧縮工具カバー部材１０Ａ，１０Ｂのうち、一方の圧縮工具カバー部材１０Ａを主体に説明し、他方の圧縮工具カバー部材１０Ｂについては、説明を省略又は簡略化する。
【００２７】
圧縮工具カバー部材１０Ａの第１カバー部１１は、図１から図３に示すように、全体を略半円筒状に形成され、圧縮工具２０の連結部２５近傍の工具本体２３を覆う。
第１カバー部１１は、長手方向（円筒の軸方向）に沿った外側面（連結部２５に遠い側の側面）に、略矩形片状の鍔部１３を有する。この鍔部１３には、図２に示すように、ネジ部１８のビス１８ａを挿通するビス穴１３ａが、例えば、２つ設けられている。
【００２８】
圧縮工具カバー部材１０Ａの第２カバー部１２は、図１から図３に示すように、全体を略半円筒状に形成され、第１カバー部１１におけるハンドル２４の側の端縁部からハンドル２４側に向けて延び、連結部２５及び連結部２５の近傍のハンドル２４を覆う。
第２カバー部１２は、図２及び図３に示すように、長手方向（円筒の軸方向）における圧縮部２６側の端縁部に略矩形片状の鍔部１４を有し、長手方向（円筒の軸方向）における第１カバー部１１側の端縁部に略矩形片状の鍔部１５を有する。
これらの鍔部１４，１５には、ネジ部１８のビス１８ａ（図３参照）を挿通するビス穴１４ａ，１５ａが、例えば、２つずつ設けられている。
【００２９】
第１開口部１６は、第２カバー部１２におけるハンドル２４の他端側に設けられている。この第１開口部１６は、ハンドル２４の揺動空間となっている。
【００３０】
第２開口部１７は、第２カバー部１２における工具本体２３の長手方向と略平行な外縁部に、第１開口部１６と連通するように設けられている。この第２開口部１７も、ハンドル２４の揺動空間となっている。第２開口部１７は、ハンドル２４が工具本体２３に対して最も離れたとき（図１及び図３参照）に、ハンドル２４と第２カバー部１２とが干渉しないように設けられている。
【００３１】
圧縮工具カバー部材１０Ｂも、前記圧縮工具カバー部材１０Ａと略同様に構成されている。
【００３２】
このように構成された１対の圧縮工具カバー部材１０Ａ，１０Ｂは、対応する鍔部１３，１４，１５同士をネジ部１８で接合することによって、圧縮工具２０に密着して装着される。
【００３３】
また、図４に示すように、圧縮工具カバー１０は、ハンドル２４が工具本体２３に近接したときに形成される圧縮工具２０の短手方向の幅と略等しい幅Ｗを有する。つまり、圧縮工具カバー１０が圧縮工具２０に装着された状態で、圧縮工具２０を工具箱３０に収納できるようになっている。
【００３４】
圧縮工具カバー１０の素材としては、耐候性及び耐衝撃性を有することが好ましく、例えば、ポリエチレン樹脂が挙げられる。
【００３５】
次に、圧縮工具カバー１０の作用について図５を参照しながら説明する。図５は、圧縮工具カバー１０の作用を説明するための正面図であり、図５（ａ）は、圧縮動作前の圧縮工具２０及び圧縮工具カバー１０を示す正面図、図５（ｂ）は、圧縮動作後の圧縮工具２０及び圧縮工具カバー１０を示す正面図である。
【００３６】
図５（ａ）に示すように、圧縮作業前に、１対の圧縮工具カバー部材１０Ａ，１０Ｂの、対応する鍔部１３，１４，１５同士をネジ部１８で接合する。つまり、圧縮工具カバー１０を予め圧縮工具２０に装着しておく。
【００３７】
次に、１人の作業員（図示せず）は、工具本体２３の他端側とハンドル２４の他端側とを離し、圧縮ヘッド２６ａとピストン２６ｂとの間に、Ｃ型スリーブ３を配置する。そして、このＣ型スリーブ３の内部に分岐電線４と電線５を挿入した後、工具本体２３を把持する。
【００３８】
このとき、圧縮工具２０の連結部２５近傍の工具本体２３は、圧縮工具カバー１０の第１カバー部１１によって覆われている。また、圧縮工具２０の連結部２５及び連結部２５の近傍のハンドル２４は、圧縮工具カバー１０の第２カバー部１２によって覆われている。そのため、圧縮工具２０の連結部２５近傍に指を添える余地がなく、上記一方の作業員は、連結部２５近傍に指を添えることがない。
【００３９】
次に、図５（ｂ）に示すように、他方の作業員（図示せず）は、ハンドル２４を揺動し、ハンドル２４の他端と工具本体２３の他端とを接近させる。このとき、圧縮工具２０の連結部２５近傍は、圧縮工具カバー１０によって覆われており、上記一方の作業員は、この連結部２５近傍に指を添えることがない。そのため、ハンドル２４の揺動によって指を挟まれるのを抑制することができる。
【００４０】
ハンドル２４が揺動され、ハンドル２４の他端と工具本体２３の他端とを接近させると、油圧ポンプ２３４が作動し、工具本体２３内のタンク２３２に収容された流体がシリンダ２３３内に流入して、圧縮ヘッド２６ａとピストン２６ｂとが接近する。これにより、圧縮ヘッド２６ａとピストン２６ｂとの間に配置したＣ型スリーブ３が圧縮され、分岐電線４と電線５とが固定される。
【００４１】
以上のように、本実施形態の圧縮工具カバー１０によれば、以下に示す各効果が奏される。
本実施形態の圧縮工具カバー１０は、圧縮工具２０の連結部２５近傍の工具本体２３を覆う第１カバー部１１と、連結部２５及び連結部２５近傍のハンドル２４を覆う第２カバー部１２と、第２カバー部１２におけるハンドル２４の他端側に設けられた第１開口部１６と、を備える。そのため、圧縮工具カバー１０によって圧縮工具２０の連結部２５近傍が覆われており、かかる部分には、一方の作業員が指を添える余地がないので、他の作業員によるハンドル２４の揺動によって指を挟まれるのを抑制することができる。
【００４２】
また、圧縮工具カバー１０は、第１開口部１６によって、ハンドル２４の揺動空間を確保することができ、ハンドル２４の揺動中に、ハンドル２４と圧縮工具カバー１０とが干渉することがない。
【００４３】
また、圧縮工具カバー１０の第２カバー部１２は、第２開口部１７を有する。そのため、ハンドル２４が工具本体２３に対して最も離れたとき（図１及び図３参照）に、ハンドル２４と第２カバー部１２との干渉を防止することができる。
【００４４】
また、作業員は、第２開口部１７から、圧縮工具２０の連結部２５近傍の状態（例えば、ポンプピストン２３４ｂの動作状態）を見ながら、圧縮作業を行うことができる。
【００４５】
更に、圧縮工具カバー１０に第２開口部１７を設けたことにより、圧縮工具カバー１０の幅Ｗ（図４参照）を小さくすることができるので、圧縮工具カバー１０全体を小型化することができる。
【００４６】
また、圧縮工具カバー１０は、ハンドル２４が工具本体２３に近接したときに形成される圧縮工具２０の短手方向の幅と略等しい幅Ｗ（図４参照）を有する。そのため、圧縮工具カバー１０が装着された状態で、圧縮工具２０を既存の工具箱３０に収納することができ、汎用性の高い圧縮工具カバー１０を提供することができる。
【００４７】
また、圧縮工具カバー１０の第１カバー部１１及び第２カバー部１２は、圧縮工具２０に対して着脱可能に構成される。そのため、圧縮工具２０に対し、圧縮工具カバー１０を必要に応じて容易に着脱することができる。例えば、圧縮工具カバー１０の破損時の交換等にも容易に対処することができる。したがって、汎用性の高い圧縮工具カバー１０を提供することができる。
【００４８】
以上、本発明の一実施形態について説明したが、本発明は、前述した実施形態に制限されるものではなく、適宜変更が可能である。
前記実施形態においては、圧縮工具カバー１０に第２開口部１７を設けるものとして説明したが、これに限定されない。例えば、ハンドル２４の揺動空間を確保することができれば、圧縮工具カバー１０には、第１開口部１６のみを設けてもよい。この場合も、前記実施形態の場合と略同様の効果を奏することができる。
【００４９】
また、前記実施形態においては、圧縮工具カバー１０は、ハンドル２４が工具本体２３に近接したときに形成される圧縮工具２０の短手方向の幅と略等しい幅Ｗ（図４参照）を有するものとして説明したが、これに限定されない。
例えば、既存の工具箱３０の収納スペースに余裕がある場合等、圧縮工具カバー１０全体を小型化する必要性がない場合には、圧縮工具カバー１０は、上記幅Ｗを超える幅を有してもよい。この場合も、前記実施形態の場合と略同様の効果を奏することができる。
【００５０】
また、前記実施形態においては、１対の圧縮工具カバー部材１０Ａ，１０Ｂは、ネジ部１８によって接合され、圧縮工具２０に対して着脱可能に構成されるものとして説明したが、これに限定されない。
例えば、１対の圧縮工具カバー部材１０Ａ，１０Ｂは、鍔部１３，１４，１５同士を接着剤等で接合することによって、圧縮工具２０に装着してもよい。この場合も、前記実施形態の場合と略同様の効果を奏することができる。
【符号の説明】
【００５１】
３  Ｃ型スリーブ（圧縮対象物）
１０    圧縮工具カバー
１１  第１カバー部
１２  第２カバー部
１６  第１開口部
１７  第２開口部
２０  圧縮工具
２３  工具本体（第１把持部）
２４  ハンドル（第２把持部）
２５  連結部
２６  圧縮部
Ｗ  幅
【図１】
2011036923.tif 000003
【図２】
2011036923.tif 000004
【図３】
2011036923.tif 000005
【図４】
2011036923.tif 000006
【図５】
2011036923.tif 000007